(57)【特許請求の範囲】
【請求項１】
取鍋予熱装置において、
床面に設置され取鍋が載置されるベース部と、
前記ベース部に接続設置され取鍋の上部に選択的に結合される蓋部材と、
前記蓋部材に接続設置され取鍋を予熱する予熱部とから構成され、
前記ベース部は、地面に設置される受台と、前記受台の中央に垂直に設置される柱部材と、前記柱部材の上端に接続設置され蓋部材の昇下降をガイドするガイド部及び前記ガイド部に接続設置されて蓋部材と予熱部を昇下降させる昇降部とから構成されており、
前記受台は、柱部材を中心にして、第１及び第２受台に分離構成され、前記第１受台の上部には、取鍋が載置される移動部材が備えられ、前記第２受台の上部には、蓋部材と予熱部が載置される保管箱が設置される受け部材が備えられることを特徴とする取鍋予熱装置。
【請求項２】
前記柱部材の内側には、移動部材に接続設置されるピストンが設けられ、前記移動部材の下部には車輪が取り付けられることを特徴とする、請求項１に記載の取鍋予熱装置。
【請求項３】
前記ガイド部は、柱部材の上部に固定設置されるメイン支柱と、前記メイン支柱の側部に設置されるガイドレールと、前記メイン支柱の上部と下部にそれぞれ設置される一対の固定板と、前記固定板との間に接続設置されている第１スクリュー軸と、前記第１スクリュー軸の上端部に接続設置されるモータとから構成されることを特徴とする、請求項１に記載の取鍋予熱装置。
【請求項４】
前記昇降部は、ガイドレールに設置されるスライド具と、前記スライド具に接続設置され、その下部に蓋部材と予熱部が結合される昇降部材と、前記昇降部材の下部を支持するようにして、第１スクリュー軸に軸結合される昇降具とから構成されることを特徴とする、請求項３に記載の取鍋予熱装置。
【請求項５】
前記蓋部材は、ベース部の昇降部材に着脱可能に結合され、前記蓋部材には、予熱部が挿入結合される貫通穴が形成されることを特徴とする、請求項１に記載の取鍋予熱装置。
【請求項６】
前記予熱部はベース部の昇降部材に固定設置される固定部材と、前記固定部材に接続設置される第２スクリュー軸と、前記第２スクリュー軸に嵌結合される複数個のブロックと、前記ブロックの外側面に結合される予熱部材とから構成されることを特徴とする、請求項１に記載の取鍋予熱装置。
【請求項７】
前記ブロックの外側面には、複数個の嵌溝が形成され、前記予熱部材は嵌溝に挿入結合されることを特徴とする、請求項６に記載の取鍋予熱装置。
【請求項８】
前記予熱部は、固定部材とブロックの間に位置し、第２スクリュー軸に嵌結合されブロックの上下移動を制限する支持部材をさらに含むことを特徴とする、請求項６に記載の取鍋予熱装置。
【発明の詳細な説明】
【技術分野】
【０００１】
本発明は、取鍋（ｌａｄｌｅ）予熱装置に関し、さらに詳細には、取鍋の内側に予熱部を垂直方向に挿入した状態で、取鍋の開口部を密閉させて予熱作業を実行することにより、単純なプロセスによって、迅速かつ安全に取鍋を予熱することが可能となる取鍋予熱装置に関する。
【背景技術】
【０００２】
一般的に、取鍋（ｌａｄｌｅ）は、鋳造作業をする鋳型まで、鋳造品を製造するための溶湯を移送する容器として使用される。
【０００３】
このとき、高温の溶湯をろ（炉）から取鍋内に移した時、取鍋内で溶湯が急激に冷却することを防止するために、通常、取鍋の予熱作業が行われる。
【０００４】
このような取鍋の予熱は、溶湯と取鍋との間の温度差を最小化するように、なるべく高温にすることが良いが、取鍋を高温で予熱するほど予熱に消費される時間と費用が多くかかるため、経済性の観点を考慮すると、取鍋外壁の温度が３００℃以上となるように行われることが好ましい。
【０００５】
このような取鍋の予熱のために、従来は、取鍋の内部をガスや重油などのバーナーを使用して加熱する方法が用いられてきた。
【０００６】
しかし、前記のようなバーナーによる予熱方法は、加熱された気体が取鍋の内部に残っておらず、常に外部に抜け出るので、熱効率が良くないという問題点がある。
【０００７】
また、予熱時に発生する燃焼ガスが常に取鍋中に供給されるので、蓋で取鍋を密閉して断熱することができず、加熱された燃焼ガスが作業環境を汚染する問題もある。
【０００８】
このような問題点を解決するための従来技術として、特許文献１には、取鍋予熱装置が記載されているが、その主な技術的構成は、取鍋本体内部をアーク放電によって加熱する取鍋予熱装置である。
【０００９】
つまり、前記従来技術は、取鍋の予熱のためにバーナーを使用せずに、取鍋の開口部を蓋で密閉するので、燃焼ガスによる作業環境の汚染が発生しないという利点はあるが、熱源としてアークを利用するためにアークの安定性と電極表面の酸化を防止するための不活性ガスの投入が必要不可欠であるため、大気中での使用が困難であるという問題があった。
【先行技術文献】
【特許文献】
【００１０】
【特許文献１】特開２０１２−５５９０８号公報
【発明の概要】
【発明が解決しようとする課題】
【００１１】
本発明は、前記のような従来技術の問題点を解決するために案出されたもので、本発明の目的は、取鍋の内側に予熱部を垂直方向に挿入した状態で、取鍋の開口部を密閉させて予熱作業を実行することにより、熱効率を向上させながらも単純なプロセスで安全に取鍋を予熱することができる取鍋予熱装置を提供することにある。
【００１２】
また、本発明の他の目的は、複数の予熱部材を使用して、取鍋の予熱時間を短縮させることができるとともに、移動部材によって取鍋を迅速かつ安全に入れ替えることができる取鍋予熱装置を提供することにある。
【課題を解決するための手段】
【００１３】
前記目的を達成するために、本発明は、取鍋予熱装置において、床面に設置されて取鍋が載置されるベース部と、前記ベース部に接続設置されて取鍋の上部に選択的に結合される蓋部材と、前記蓋部材に接続設置されて取鍋を予熱させる予熱部とから構成され、
前記ベース部は、床面に設置される受台と、前記受台の中央に垂直に設置される柱部材と、前記柱部材の上端に接続設置され蓋部材の昇下降をガイドするガイド部と、前記ガイド部に接続設置されて蓋部材および予熱部を昇下降させる昇降部とから構成されており、
前記受台は、柱部材を中心にして、第１及び第２受台に分離構成され、前記第１受台の上部には、取鍋が載置される移動部材が備えられ、前記第２受台の上部には、蓋部材と予熱部が載置される保管箱が設置される受け部材が備えられることを特徴とする。
【００１６】
そして、前記柱部材の内側には、移動部材に接続設置されるピストンが備えられ、前記移動部材の下部には車輪が取り付けられることを特徴とする。
【００１７】
また、前記ガイド部は、柱部材の上端に固定設置されるメイン支柱と、前記メイン支柱の側部に設置されるガイドレールと、前記メイン支柱の上部と下部にそれぞれ設置される一対の固定板と、前記固定板との間に接続設置される第１スクリュー軸と、前記第１スクリュー軸の上端部に接続設置されるモータとから構成されることを特徴とする。
【００１８】
前記昇降部はガイドレールに設置されるスライド具と、前記スライド具に接続設置され、その下部に蓋部材と予熱部が結合される昇降部材と、前記昇降部材の下部を支持するようにして、第１スクリュー軸に軸結合される昇降具とから構成されることを特徴とする。
【００１９】
そして、前記蓋部材は、ベース部の昇降部材に着脱可能に結合され、蓋部材には、予熱部が挿入結合される貫通穴が形成されることを特徴とする。
【００２０】
また、前記予熱部は、ベース部の昇降部材に固定設置される固定部材と、前記固定部材に接続設置される第２スクリュー軸と、前記第２スクリュー軸に嵌結合される複数個のブロックと、前記ブロックの外側面に結合される予熱部材とから構成されることを特徴とする。
【００２１】
この時、前記ブロックの外側面には、複数個の嵌溝が形成され、前記予熱部材は嵌溝に挿入結合されることを特徴とする。
【００２２】
また、前記予熱部は、固定部材とブロックの間に位置して、第２スクリュー軸に嵌結合されブロックの上下の移動を制限する支持部材をさらに含むことを特徴とする。
【発明の効果】
【００２３】
本発明によれば、取鍋の内側に予熱部を垂直方向に挿入した状態で、取鍋の開口部を密閉させて予熱作業を実行するため、熱効率を向上させながらも単純なプロセスで安全に取鍋を予熱することが可能となる優れた効果を有する。
【００２４】
また、本発明によれば、複数の予熱部材を使用して、取鍋の予熱時間を短縮させることができるだけでなく、予熱作業が行われない場合でも、密閉された断熱空間に予熱部を保管できることにより、予熱作業時に消耗される電力を減少させることができる効果をさらに有する。
【００２５】
また、本発明によれば、ピストンが備えられた移動部材によって予熱作業前、後の取鍋を迅速かつ安全に入れ替えることができる効果を追加に有する。
【図面の簡単な説明】
【００２６】
【図１】本発明に係る取鍋予熱装置を示す正断面図である。
【図２】本発明に係る取鍋予熱装置を示す側面図である。
【図３】図１に示した本発明の内、ガイド部と蓋部材及び予熱部の結合関係を詳細に示した図である。
【図４】図１に示した本発明の予熱部を詳細に示した斜視図である。
【図５】本発明に係る取鍋予熱装置の使用状態を示した図である。
【図６】本発明に係る取鍋予熱装置の使用状態を示した図である。
【発明を実施するための形態】
【００２７】
以下、図面を参照しながら、本発明に係る取鍋予熱装置の好ましい実施の形態を詳細に説明する。
【００２８】
図１は、本発明に係る取鍋予熱装置を示す正断面図であり、図２は、本発明に係る取鍋予熱装置を示す側面図であり、図３は図１に示した本発明のガイド部と蓋部材及び予熱部の結合関係を詳細に示した図であり、図４は、図１に示した本発明の予熱部を詳細に示した斜視図であり、図５及び図６は、本発明に係る取鍋予熱装置の使用状態を示す図である。
【００２９】
本発明は、取鍋２００の内側に垂直方向に予熱部４００を挿入した状態で、取鍋２００の開口部を密閉させ予熱作業を実行することにより、単純なプロセスによって、迅速かつ安全に取鍋２００を予熱させることができる取鍋予熱装置１０に関するもので、その構成は、図１に示すように、主にベース部１００、取鍋２００、蓋部材３００と、予熱部４００とからなる。
【００３０】
さらに詳しく説明すると、前記ベース部１００は、本発明に係る取鍋予熱装置１０を床面に固定設置できるとともに、その上部に予熱する取鍋２００を載置させることができ、受台１１０、柱部材１２０、ガイド部１３０と昇降部１４０とを含む。 
【００３１】
つまり、前記受台１１０は、ベース部１００の下端部を構成しており、取鍋予熱装置１０を床面に設置するように支持するためのものであり、前記柱部材１２０は、受台１１０の中央部に垂直方向に設置され、後述するガイド部１３０を支持する役割を有するものである。 
【００３２】
この時、前記受台１１０は、柱部材１２０を中心にして左右両側に設置される第１受台１１２と第２受台１１４で構成されるが、前記第１受台１１２の上部には、取鍋２００が載置される移動部材１１６を備え、前記第２受台１１４の上部には、蓋部材３００と予熱部４００が載置される保管箱１１８を備えた受け部材１１９が設けられる。
【００３３】
さらに詳しく説明すると、前記移動部材１１６は、予熱しようとする取鍋２００が上部に載置されるとともに、予熱前後で取鍋２００を第１受台１１２の上部に移動させたり、第１受台１１２の外側に移動させることができるように、移動部材１１６の下部には車輪１１６ａが備えられ、取鍋２００が上部に載置された状態で移動部材１１６をさらに容易に移動させることができるように構成されている。 
【００３４】
また、前記柱部材１２０を中空状に形成し、その内側にピストン１２２を設置することも可能であり、前記ピストン１２２は、移動部材１１６の下部に接続設置されて取鍋２００が上部に載置された状態で移動部材１１６を自動的に移動させることができる。 
【００３５】
つまり、前記ピストン１２２の駆動によって取鍋２００が載置された移動部材１１６を、さらに迅速かつ正確に移動させることが可能になることにより、取鍋２００の予熱にかかる時間を短縮させることができる。 
【００３６】
また、前記第１受台１１２の端部、すなわち、移動部材１１６が移動する方向の第１受台１１２の端部には傾斜面を形成し、移動部材１１６の移動がさらに円滑に行われるよう構成される。
【００３７】
また、図示していないが、前記移動部材１１６の上面に取鍋２００の下部形状に対応する固定具を突出形成して、移動部材１１６上に載置される取鍋２００が移動過程や予熱過程で揺れたりすることなく定位置を維持するように構成できることも可能である。 
【００３８】
そして、前記第２受台１１４の上部に設置される受け部材１１９は、取鍋２００の予熱作業が行われていない時に、蓋部材３００と予熱部４００とを保管できるようにする保管箱１１８を固定支持し、また保管箱１１８の内側面には、予熱部４００の温度降下を最小限に抑えるための断熱層１１８ａを形成してもよい。 
【００３９】
次に、前記ガイド部１３０は、柱部材１２０の上端に接続設置され、蓋部材３００と予熱部４００が昇下降駆動と回転駆動できるようにガイドする。
【００４０】
この時、前記ガイド部１３０は、メイン支柱１３２、ガイドレール１３４、固定板１３５、第１スクリュー軸１３６、モータ１３７とからなるが、前記メイン支柱１３２は中空の柱状で、柱部材１２０の上端に接続設置されている蓋部材３００と、予熱部４００が昇下降駆動と回転駆動できるように支持する。 
【００４１】
さらに詳しく説明すると、前記柱部材１２０の上部に円筒状の回転ガイド部材１２４をボルト等の締結手段によって固定設置した後、回転ガイド部材１２４の内側にメイン支柱１３２を挿入設置して、メイン支柱１３２を、柱部材１２０の上部に回転可能な状態で接続設置する。 
【００４２】
この時、前記回転ガイド部材１２４とメイン支柱１３２との間の結合は、蝶ボルト等を使用して、メイン支柱１３２が回転ガイド部材１２４の内側で回転可能に支持されるように構成することができる。
【００４３】
次に、前記ガイドレール１３４は、メイン支柱１３２の一側部に接続設置されて昇降部１４０の上下の移動をガイドするものであり、前記固定板１３５は、メイン支柱１３２の上部と下部にそれぞれ固定設置され、その間に第１スクリュー軸１３６を固定設置できるものである。 
【００４４】
次に、前記第１スクリュー軸１３６は、固定板１３５の間に接続設置され、後述するモータ１３７の駆動により回転して昇降部１４０を上下に移動させることができ、前記モータ１３７は、メイン支柱１３２の上部に設置される固定板１３５の上部に位置するようにして、第１スクリュー軸１３６と接続設置されて第１スクリュー軸１３６を回転させることにより、後述する昇降部１４０を昇下降させる。
【００４５】
次に、前記昇降部１４０は、メイン支柱１３２と第１スクリュー軸１３６とに接続設置されて、第１スクリュー軸１３６の回転によって 昇下降駆動し、昇降部１４０の一側下部には、蓋部材３００と予熱部４００が接続設置されて昇降部１４０の昇下降駆動によって蓋部材３００と予熱部４００が選択的に取鍋２００の上部に結合することができるように構成されている。
【００４６】
さらに詳しく説明すると、図３に示すように、前記昇降部１４０は、スライド具１４２と、昇降部材１４４と昇降具１４６とから構成され、前記スライド具１４２は、ガイド部１３０のガイドレール１３４に結合されて昇降部１４０の昇下降駆動をガイドするものであり、前記昇降部材１４４は、スライド具１４２に接続設置されてモータ１３７の駆動による第１スクリュー軸１３６の回転によって昇下降駆動をするものであり、スライド具１４２と接続設置された昇降部材１４４の他側端部には、蓋部材３００と予熱部４００が結合されている。 
【００４７】
また、前記昇降具１４６は、第１スクリュー軸１３６にねじ結合され、昇降部材１４４の下部を支持することで、昇降部材１４４の下部に固定設置される。
【００４８】
つまり、モータ１３７の駆動により、第１スクリュー軸１３６が回転すると、昇降部材１４４の下部に固定設置された昇降具１４６は回転しなくなるので、昇降具１４６が、第１スクリュー軸１３６の回転によって上部または下部に第１スクリュー軸１３６に沿って移動し、それに応じて昇降具１４６に結合された昇降部材１４４はまた、ガイドレール１３４のガイドによって上下に移動する。 
【００４９】
次に、前記取鍋２００は、鋳造作業をする鋳型まで、鋳造品を製造するための溶湯を移送する容器として使用されるものであり、上部が開口された形で構成されており、上端部の一側には、溶湯が注入される注入口２１０が形成されている。 
【００５０】
次に、前記蓋部材３００は、ベース部１００の昇降部材１４４に接続設置されて昇降部材１４４の昇下降駆動によって選択的に取鍋２００の上部に結合されるものであり、その形状は、取鍋２００の上端部の形状と対応しており、蓋部材３００が取鍋２００の上部に載置されている場合は、取鍋２００が密閉されるように構成される。
【００５１】
また、前記蓋部材３００の下部面には断熱材を用いた断熱層３１０が形成され、取鍋２００の予熱過程で予熱部４００から発生する熱が損失することを最小化することができるように構成されている。 
【００５２】
この時、前記蓋部材３００の内側に形成された断熱層３１０と、前述した保管箱１１８の内側に形成された断熱層１１８ａは、６００℃での熱伝導率が０．３Ｗ/ ｍ・Ｋ 以下、体積比重０．５（ｇ / ｃｃ）以下の素材からなり、２０〜６０ｍｍ程度の厚さで、良好な性能を得ることができる。
【００５３】
つまり、前記断熱層１１８ａ、３１０が６００℃で熱伝導率が０．３Ｗ/ ｍ・Ｋ以上になると、断熱効果が低下し、体積比重０．５（ｇ/ ｃｃ）以上の素材を使用すると、断熱層１１８ａ、３１０が厚くなるので、重量が大きくなる。また、前記断熱層１１８ａ、３１０の厚さが２０ｍｍ以下であれば、断熱効果が低下し、厚さが６０ｍｍ以上であれば、必要以上に厚くなって断熱効果の面で非効率的になる。 
【００５４】
一方、前記蓋部材３００には、複数個の貫通孔３２０が形成され、前記貫通孔３２０に、後述する予熱部４００が挿入されて、ベース部１００の昇降部材１４４に結合できる。 
【００５５】
また、前記蓋部材３００と昇降部材１４４との間の結合は、ボルト等の締結手段を用いて着脱可能に構成され、図示しないが、さらに容易な締結及び分離のための蓋部材３００と昇降部材１４４に別途の結合口を形成させることも可能である。
【００５６】
次に、前記予熱部４００は、蓋部材３００の下部に接続設置されて、蓋部材３００が取鍋２００の上部に結合される場合は、取鍋２００の内側に収容されて取鍋２００を予熱させる。さらに、前記予熱部４００は、蓋部材３００に形成された貫通孔３２０を介して挿入され、昇降部材１４４の下部に結合されるように構成されて昇降部材１４４の昇下降駆動によって蓋部材３００と一緒に上下に移動できる。 
【００５７】
さらに詳しく説明すると、図４に示すように、前記予熱部４００は、固定部材４１０と、第２スクリュー軸４２０と、ブロック４３０と、予熱部材４４０とからなるが、前記固定部材４１０は、第２スクリュー軸４２０の上部に結合されることで、昇降部材１４４の下部に形成される設置溝（図示せず）に挿入結合されて、予熱部４００を昇降部材１４４に固定設置するものであり、前記第２スクリュー軸４２０は、固定部材４１０に垂直方向に接続設置されてブロック４３０と、予熱部材４４０とを軸結合するものである。
【００５８】
つまり、前記固定部材４１０を昇降部材１４４の下部に形成された取付溝に挿入結合させた状態で、固定部材４１０の上部に突出した第２スクリュー軸４２０にナット等の締結部材を結合させることにより、予熱部４００が昇降部材１４４に固定設置される。
【００５９】
次に、前記ブロック４３０は、第２スクリュー軸４２０に嵌結合され、外側面に予熱部材４４０が設置されるが、一度に複数個の予熱部材４４０が同時に動作することができるように複数個のブロック４３０が積層された形で設置されている。 
【００６０】
前記ブロック４３０の外側面には、複数個の嵌溝４３２が互いに一定間隔離隔されて形成されており、前記嵌溝４３２には、予熱部材４４０が挿入結合される。
【００６１】
また、前記ブロック４３０は、黄土などの蓄熱機能を有する材質で形成することにより、予熱部材４４０から発生する熱をある程度貯蔵できるようにして熱効率を向上させることもできる。
【００６２】
前述したように、予熱部４００が使用されない場合には、蓋部材３００と、予熱部４００がベース部１００の第２受台１１４上の受け部材１１９に取り付けられた保管箱１１８に保管され、予熱部材４４０からの熱が発生しない場合でも、ブロック４３０に蓄熱された熱が、保管箱１１８と蓋部材３００に形成された断熱層１１８ａ、３１０によって維持されるため、熱損失を最小化することができる。
【００６３】
また、前記予熱部材４４０は、リング状に形成され、ブロック４３０の外側面に形成される嵌溝４３２に挿入結合されることで、電源線（図示せず）に接続設置されて電源線から供給される電力によって取鍋２００を予熱させるための熱を発生させる。 
【００６４】
さらに、前記第２スクリュー軸４２０の下端部にもナットのような締結部材を結合させることにより、第２スクリュー軸４２０に挿入結合されたブロック４３０が離脱することを防止できる。
【００６５】
一方、前記予熱部４００は、支持部材４５０をさらに含み、前記支持部材４５０は、固定部材４１０とブロック４３０の間に位置するようにして、第２スクリュー軸４２０に嵌結合されることにより、ブロック４３０の上下移動を制限する。 
【００６６】
つまり、予熱部４００が上下に移動する過程で、ブロック４３０が上下に移動すると、ブロック４３０との間に隙間が発生してブロック４３０に蓄熱された熱が損失するおそれがあるだけでなく、ブロック４３０の上下移動によって第２スクリュー軸４２０の下部に結合された締結部材が解けて、ブロック４３０が離脱する恐れがあるので、固定部材４１０とブロック４３０の間に支持部材４５０を挿入設置してブロック４３０の上下移動を制限する。
【００６７】
また、前記支持部材４５０は、蓋部材３００に形成された貫通孔３２０に密着するように構成され、蓋部材３００と予熱部４００が一体化されることにより、昇降部材１４４に結合される蓋部材３００と予熱部４００との固定力を向上させる。
【００６８】
前記のように構成された予熱部４００は、図１及び図２に示すように、複数個を同時に設置することで予熱時間を短縮させることができるが、昇降部材１４４に着脱可能に結合されているので、必要に応じて予熱部４００の設置数を調整することもできる。
【００６９】
以下、図面を参考にして、本発明に係る取鍋予熱装置１０の動作を詳細に説明する。 
【００７０】
まず、図６に示すように、本発明に係る取鍋予熱装置１０は、ベース部１００の昇降部１４０が第２受台１１４の方向に向くようにして、ガイド部１３０の下部に下降した状態では、昇降部材１４４に結合された蓋部材３００と蓋部材３００との下部に接続設置された予熱部４００が、第２受台１１４上の受け部材１１９に載置された保管箱１１８に収容された状態になる。
【００７１】
続いて、本発明に係る取鍋予熱装置１０を用いて取鍋２００を予熱するためには、まず、第１受台１１２上に備えられた移動部材１１６を、ピストン１２２を利用して第１受台１１２の外側に移動させた後、移動部材１１６上に予熱しようとする取鍋２００を載置させ、ピストン１２２を再度用いて、移動部材１１６を第１受台１１２上に移動させる。
【００７２】
この時、前記取鍋２００は、その外側面に形成された支持具２２０を使用して、ホイスト、フォークリフトなどのリフト装置を使用して持ち上げることができるように構成されている。 
【００７３】
前記のように予熱しようとする取鍋２００を第１受台１１２上に載置させた状態でガイド部１３０のモータ１３７を一方向（時計方向）に回転させると、モータ１３７に接続設置された第１スクリュー軸１３６が回転し、第１スクリュー軸１３６に軸結合された昇降具１４６が上昇し、それに応じて昇降具１４６の上部に設置された昇降部材１４４も上昇する。そして昇降部材１４４に結合された蓋部材３００と予熱部もまた保管箱１１８から上昇する。 
【００７４】
予熱部４００が保管箱１１８の上部に露出されるように十分に上昇すると、モータ１３７の駆動を停止し、作業者がガイド部１３０と昇降部１４０を１８０度だけ回転させ蓋部材３００と予熱部４００を取鍋２００の上部に位置させる。
【００７５】
その後、再びモータ１３７を反対方向（反時計回り）に回転させると、第１スクリュー軸１３６が反対方向に回転し、第１スクリュー軸１３６に軸結合された昇降具１４６が下降し、それに応じて昇降部材１４４が下降して、図５に示すように、蓋部材３００が取鍋２００の上部に結合され、予熱部４００は、取鍋２００の内側に収容された状態になる。
【００７６】
この状態で、予熱部材４４０に接続設置された電源線に電源を供給すると、予熱部材４４０から熱を発生させ取鍋２００の予熱が行われる。
【００７７】
このとき、蓋部材３００の下部面に形成された断熱層３１０によって予熱部材４４０から発生する熱の損失を最小化することができ、複数個の予熱部材４４０から同時に熱が発生されるので、取鍋２００の予熱が均等に行われるだけでなく、全体的な予熱時間を短縮させることができる。
【００７８】
このように、取鍋２００の予熱が完了したら、再度モータ１３７を時計方向に駆動させて、昇降部材１４４を上昇させることにより、蓋部材３００と予熱部４００とが取鍋２００の上部に持ち上げられるようになった後、ベース部１００の柱部材１２０の内側に取り付けられたピストン１２２を駆動させ移動部材１１６を第１受台１１２の外側に移動させ、その後フォークリフトなどのリフト手段を用いて、予熱が完了した取鍋２００を溶湯が収容されたとする（炉）に移動させ、さらに予熱しようとする取鍋２００を再度移動部材１１６上に載置させ、前記のような過程を繰り返すことにより取鍋２００の予熱作業を迅速かつ安全に行うことができる。 
【００７９】
取鍋２００の予熱作業がすべて完了したら、作業者が再びガイド部１３０と昇降部１４０とを１８０度回転させ、蓋部材３００と予熱部４００が第２受台１１４方向に向くようにした後、モータ１３７を反時計方向に駆動させ、昇降部材１４４を下降させると、蓋部材３００を保管箱１１８の上部に載置し、予熱部４００は、保管箱１１８の内側に収容された状態で保管することができる。 
【００８０】
このとき、蓋部材３００の下部と保管箱１１８の内側にそれぞれ形成された断熱層３１０，１１８ａによって予熱部４００のブロック４３０に蓄熱された熱の損失を最小化することができ、それに応じて予熱部４００の再使用時に予熱部材４４０に供給される電力量を削減することができるので、取鍋の予熱に消耗される費用を低減させることが可能になる。
【００８１】
また、図示しなかったが、ベース部１００の一側に制御パネルを設置し、取鍋が載置される移動部材１１６を移動させるピストン１２２を駆動し、昇降部１４０を昇下降させるモータ１３７の駆動及び予熱部材４４０への電源の供給の有無などを制御することをできるようにして、前記制御パネルのタイマー機能を付加して、ピストン１２２と、モータ１３７の駆動及び予熱部材４４０への電源供給が一定時間間隔で行うことにより、取鍋２００の予熱過程が自動的に行われるように構成することもできる。
【００８２】
前述したような本発明に係る取鍋予熱装置１０によれば、取鍋２００の内側に予熱部４００を垂直方向に挿入した状態で、取鍋２００の開口部を密閉させて予熱作業を実行することにより、熱効率を向上させながらも単純なプロセスによって安全に取鍋２００を予熱させることができ、複数個の予熱部４００および予熱部材４４０とを使用して、取鍋２００の予熱時間を短縮させることができるだけでなく、予熱作業が行われない場合でも、密閉された断熱空間に予熱部４００を保管することにより、予熱作業時に消耗される電力を減らすことができ、ピストン１２２が備えられた移動部材１１６によって予熱作業前、後の取鍋２００を迅速かつ安全に入れ替えることができるなどの多くの利点を有するものである。
【００８３】
前述した実施の形態は、本発明の最も好ましい例について説明したものであるが、前記実施の形態にのみ限定されるものではなく、本発明の技術的思想を逸脱しない範囲内で多様な変形が可能であることは当業者であれば明らかである。
【産業上の利用可能性】
【００８４】
本発明は、取鍋予熱装置に関し、さらに詳細には、取鍋の内側に予熱部を垂直方向に挿入した状態で、取鍋の開口部を密閉させ予熱作業を実行することにより、単純なプロセスによって、迅速かつ安全に取鍋を予熱することができようにする取鍋予熱装置に関するものである。
【符号の説明】
【００８５】
１０・・取鍋予熱装置、１００・・ベース部、１１０・・受台、１１２・・第１受台、１１４・・第２受台、１１６・・移動部材、１１６ａ・・車輪、１１８・・保管箱、１１８ａ，３１０・・断熱層、１１９・・受け部材、１２０・・柱部材、１２２・・ピストン、１２４・・回転ガイド部材、１３０・・ガイド部、１３２・・メイン支柱、１３４・・ガイドレール、１３５・・固定板、１３６・・第１スクリュー軸、１３７・・モータ、１４０・・昇降部、１４２・・スライド具、１４４・・昇降部材、１４６・・昇降具、２００・・取鍋、２１０・・注入口、２２０・・支持具、３００・・蓋部材、３２０・・貫通穴、４００・・予熱部、４１０・・固定部材、４２０・・第２スクリュー軸、４３０・・ブロック、４３２・・嵌溝、４４０・・予熱部材、４５０・・支持部材。
【要約】
【課題】  本発明は、取鍋予熱装置に関し、さらに詳細には、取鍋の内側に予熱部を垂直方向に挿入した状態で、取鍋の開口部を密閉させて予熱作業を実行することにより、単純なプロセスによって、迅速かつ安全に取鍋を予熱することが可能な取鍋予熱装置を提供する。
【解決手段】
本発明は、取鍋予熱装置において、床面に設置され取鍋が載置されるベース部と、前記ベース部に接続設置され取鍋の上部に選択的に結合される蓋部材と、前記蓋部材に接続設置され取鍋を予熱させる予熱部とから構成されることを特徴とする。
【選択図】図１【図１】
0005913518.tif 000002
【図２】
0005913518.tif 000003
【図３】
0005913518.tif 000004
【図４】
0005913518.tif 000005
【図５】
0005913518.tif 000006
【図６】
0005913518.tif 000007